(57)【要約】【課題】洗い場防水パンに水受けトレイ用の加工を行う必要が無く、複雑な止水構造を設けなくとも漏水の危険牲が無い浴室ユニットを提供する。【解決手段】前記浴槽のリム部と前記洗い場防水パンの土手部とを前記一側面の両端部それぞれに水密的に結合するための一対の結合部材と、バスエプロン裏側の床下から、上方に立ち上がるように配設された給水・給湯配管が貫通する貫通孔を有する上面が開口した水受けトレイと、該水受けトレイ内の水を前記洗い場防水床上に排水するために、前記結合部材に形成された貫通孔に連通するように設けられた排水管とを備える。【選択図】  図３
2009189452.tif 000002
【特許請求の範囲】
【請求項１】
上端縁にリム部が形成された浴槽と、該浴槽の一側面に隣接させて設置され且つ土手部が形成された洗い場防水パンと、浴槽エプロンとが、それぞれ分割されて構成される浴室ユニットであって、
前記浴槽のリム部と前記洗い場防水パンの土手部とを前記一側面の両端部それぞれに水密的に結合するための一対の結合部材と、
前記浴槽の前記一側面の側に、前記一対の結合部材、前記浴槽のリム部、及び前記防水パンの土手部から成る枠部により画成される矩形状の開口部を水密に閉塞する着脱自在な板状のバスエプロンと、
該バスエプロン裏側の床下から、上方に立ち上がるように配設された給水・給湯配管が貫通する貫通孔を有する上面が開口した水受けトレイと、
該水受けトレイ内の水を前記洗い場防水パン上に排水するために、前記結合部材に形成された貫通孔に連通するように設けられた排水管と、
を備えたことを特徴とする浴室ユニット。
【請求項２】
前記結合部材に形成された貫通孔の洗い場床側の端部は、前記洗い場防水パンの土手部の最高面よりも、洗い場床側に突出して配置されることを特徴とする請求項１記載の浴室ユニット。
【請求項３】
前記結合部材に形成された貫通孔は、前記バスエプロンにより洗い場側からは掩蔽された状態となることを特徴とする請求項１記載の浴室ユニット。
【請求項４】
前記排水管は、可撓性を有する部材で形成されていることを特徴とする請求項１記載の浴室ユニット。
【請求項５】
前記水受けトレイを前記洗い場防水パンに固定するための支持部材を備え、前記支持部材の取付位置は、調整可能であることを特徴とする請求項４記載の浴室ユニット。
【請求項６】
前記水受けトレイを前記洗い場防水パンの下方に配置される架台に固定するための支持部材を備え、前記支持部材の取付位置は、調整可能であることを特徴とする請求項４記載の浴室ユニット。
【請求項７】
前記水受けトレイは、前記支持部材に対し、前記土手部に直交する方向に位置調整可能であることを特徴とする請求項５及び６のいずれかに記載の浴室ユニット。
【請求項８】
前記排水管は、端部に、外周に雄ねじが螺刻された鍔付円筒状の金具を備え、該金具に水密パッキンを挿着し、結合部材の表面から前記貫通孔に挿通して、結合部材の裏面から前記金具の雄ねじにナットを螺合することにより、排水管を結合部材に形成された前記貫通孔に取り付けられることを特徴とする請求項１記載の浴室ユニット。
【発明の詳細な説明】
【技術分野】
【０００１】
本発明は、浴室ユニットの漏水対策に係り、特に給水・給湯管等が浴槽側の床から立ち上がる構造の浴室ユニットの漏水対策に関する。
【背景技術】
【０００２】
システムバス或いはユニットバスとも呼ばれる浴室ユニットの構造には数種類あるが、最も基本的でシンプルなものとしてハーフ構造がある。このハーフ構造は、洗い場付浴槽或いは洗い場一体型浴槽ともいわれ、架台の上に洗い場の床と浴槽とを一体で形成し、浴槽のリム上に壁パネルを載置するものである。したがって、このハーフ構造では、浴槽下には防水パンは存在しない。
【０００３】
このタイプの浴室ユニットの中でも、給水・給湯管等が浴槽側の床から立ち上がる構造のものがあるが、建築設備側の配管と、浴室ユニッット側の配管との接続部分等において、希に施工ミス等により漏水することがある。
これを放置すれば、浴槽下には防水パンがないので、直接建築床まで漏水してしまう。特に木造家屋にあっては、建築の木材が腐る原因となる。
そこで、この問題を解決するものとして、浴槽の側方に洗い場を設け、前記浴槽へ湯又は水を供給する供給栓を前記浴槽の周縁部に備えた栓取付部に取り付け、前記洗い場からの水を受ける第１の防水パンを設けてあるユニットバスであって、前記栓取付部の下方に、漏水を受ける漏水受け用第二防水パンを設け、前記第二防水パンの底部を、前記第一防水パンに連通接続してあるユニットバスが開示されている（例えば、特許文献１参照。）。
【特許文献１】特開平８−２４３０５０号公報
【発明の開示】
【発明が解決しようとする課題】
【０００４】
しかしながら、斯かる第二防水パンは、浴槽側配管の全体を覆うようになっているので大掛りで、そのコスト増も大きい。
また、洗い場側防水床の土手部には、バスエプロンも取り付けられるが、第二防水パンの下端をバスエプロンより洗い場側に配置することは困難であり、バスエプロンと干渉しないように第二防水パンを取り付けると、漏水の危険性が高まったり、あるいは止水構造が複雑化するという問題がある。
本発明は、上述した事情を考慮してなされたもので、給水・給湯管等が浴槽側の床から立ち上がる構造の浴室ユニットにおいて、洗い場防水パンの土手部に複雑な止水構造を設けなくとも漏水の危険牲が無い浴室ユニットを提供することを目的とするものである。
【課題を解決するための手段】
【０００５】
本発明に係る浴室ユニットは、上述した課題を解決するために、その主要な態様として、上端縁にリム部が形成された浴槽と、該浴槽の一側面に隣接させて設置され且つ土手部が形成された洗い場防水パンと、浴槽エプロンとが、それぞれ分割されて構成される浴室ユニットであって、前記浴槽のリム部と前記洗い場防水パンの土手部とを前記一側面の両端部それぞれに水密的に結合するための一対の結合部材と、前記浴槽の前記一側面の側に、前記一対の結合部材、前記浴槽のリム部、及び前記防水パンの土手部から成る枠部により画成される矩形状の開口部を水密に閉塞する着脱自在な板状のバスエプロンと、該バスエプロン裏側の床下から、上方に立ち上がるように配設された給水・給湯配管が貫通する貫通孔を有する上面が開口した水受けトレイと、該水受けトレイ内の水を前記洗い場防水パン上に排水するために、前記結合部材に形成された貫通孔に連通するように設けられた排水管とを備えるものである。
【０００６】
前記結合部材に形成された貫通孔の洗い場床側の端部は、好適には、前記洗い場防水パンの土手部の最高面よりも、洗い場床側に突出して配置されることが望ましく、前記結合部材に形成された貫通孔は、好適には、前記バスエプロンにより洗い場側からは掩蔽された状態となることが望ましい。
【０００７】
そして、前記排水管は、好適には、可撓性を有する部材で形成されていてもよく、この場合、前記水受けトレイを前記洗い場防水パンに固定するための支持部材を備え、前記支持部材の取付位置は、調整可能とすることができ、或いは、前記水受けトレイを前記洗い場防水パンの下方に配置される架台に固定するための支持部材を備え、前記支持部材の取付位置は、調整可能とすることができる。また、前記水受けトレイは、前記支持部材に対し、前記土手部に直交する方向に位置調整可能とすることができる。
【０００８】
また、前記排水管は、好適には、端部に、外周に雄ねじが螺刻された鍔付円筒状の金具を備え、該金具に水密パッキンを挿着し、結合部材の表面から前記貫通孔に挿通して、結合部材の裏面から前記金具の雄ねじにナットを螺合することにより、排水管を結合部材に形成された前記貫通孔に取り付けられる構成とすることができる。
【発明の効果】
【０００９】
本発明に係る浴室ユニットによれば、洗い場防水パンの土手部に複雑な止水構造を設けなくとも漏水の危険牲が無くすことができる。
【発明を実施するための最良の形態】
【００１０】
本発明に係る浴室ユニットの実施の形態について、添付図面を参照して説明する。図１に、この実施形態に係る浴室ユニットのエプロンを取り外した状態の外観を示す。
【００１１】
同図に示すように、浴室ユニット１は、その主要コンポーネントの一部として、浴槽２と、この浴槽２に隣接して設置される洗い場防水パン３（以下、防水パン３と呼ぶ）、この防水パン３と浴槽２とを着脱自在に結合する一対の結合部材４Ａ，４Ｂと、この結合部材４Ａ，４Ｂ、浴槽２の防水パン側（一側面側）のリム部２ａ、及び防水パン３の浴槽側（一側面側）の土手部５により画成される矩形状の開口部ＯＰ１を着脱自在に且つ止水性を保持して閉塞するバスエプロン６及び小型バスエプロン７とを備える。浴槽２及び防水パン３は、建築構造物（例えばコンクリート床）上に置かれた高さ調節可能な洗い場用架台８及び浴槽用架台９により支持されている。
【００１２】
なお、結合部材４Ｂには、浴槽側の床から立ち上がった設備側給水・給湯管を、洗い場側の図示しないカウンタに設けられる水栓に連通する浴室ユニット側給水・給湯管が挿通される接続孔４Ｂａが設けられる。
【００１３】
本実施形態に係る水受けトレイ１０は、結合部材４Ｂの裏面（浴槽側）に取り付けられる。図２は、斯かる水受けトレイを洗い場側から見た図であり、図３は、同浴槽側から見た図、そして、図４は水受けトレイを土手部５に直交する方向に移動させた状態を示す図である。
【００１４】
水受けトレイ１０は、合成樹脂等により、上部が開口した扁平な箱体に形成される。その底部には２箇所開口ＯＰ２が設けられており、その一方又は両方に給水・給湯管が挿通される。
【００１５】
図３に示す例では、土手部５に近い開口ＯＰ２には、水密カバー１１を介して給水・給湯管１２，１３が挿通され、他方の開口ＯＰ２には、設備側の給水・給湯管が挿通されず、開口ＯＰ２は、水密キャップ１４により水密に塞がれる。
【００１６】
また、図４に示す例では、土手部５に近い開口ＯＰ２は水密キャップ１４により水密に塞がれ、他方の開口ＯＰ２は、設備側の給水・給湯管が挿通されるべく、開口のまま残されている。
【００１７】
設備側の給水・給湯管１２，１３は、水受けトレイ１０上にて図示しない浴室ユニット側給水・給湯管に接続される。したがって、万が一施工ミス等によりこの接続部より漏水があっても、洩れた水は水受けトレイで受けられ、建築床を濡らすことはない。
この水受けトレイ１０の結合部材４Ｂ側の側面下端近傍には貫通孔１０ａが設けられ、結合部材４Ｂの下端近傍にも貫通孔４Ｂｂが設けられる。そして、両者は、可撓性を有する排水管１５により連通接続される。
【００１８】
この排水管の両端には、外周に雄ねじが螺刻された鍔付円筒状の金具１６を備える。この金具１６に水密パッキン１７を挿着し、水受けトレイ１０の内側から貫通孔１０ａに挿通して、水受けトレイ１０の外側から金具１６の雄ねじにナットを螺合することにより、排水管１５は水受けトレイ１０に形成された貫通孔１０ａに取り付けられる。
【００１９】
同様に、金具１６に水密パッキン１７を挿着し、結合部材４Ｂの表面（洗い場側）から貫通孔４Ｂｂに挿通して、結合部材４Ｂの裏面から金具１６の雄ねじにナット１８を螺合することにより、排水管１５は結合部材４Ｂに形成された貫通孔４Ｂｂに取り付けられる。
【００２０】
これにより、複雑な止水構造を設けなくとも、水受けトレイで受けられた漏水を、逃すことなく洗い場へと導出することができる。この場合、結合部材４Ｂに形成された貫通孔４Ｂｂの洗い場床側の端部は、洗い場防水パン３の土手部５の最高面よりも、洗い場床側に突出して配置される。
【００２１】
そして、結合部材４Ｂに設けられた貫通孔４Ｂｂは、図５に示すように、小型エプロン７により掩蔽されるので、洗い場側から見ることはできず、したがって、意匠性を損なうこともない。尚、貫通孔４Ｂｂは、バスエプロン６と結合部材４Ｂの水密部より外方側に形成されている。
【００２２】
水受けトレイ１０の下方には、水受けトレイ１０を支持する支持体２０が配置される。支持体２０は、洗い場用架台８にねじ止めされる固定部２０ａと、固定部２０ａから片持ち状に持ち出される片持ち部２０ｂと、片持ち部２０ｂ上に取り付けられ水受けトレイ１０底面が載置される受け部２０ｃ（図４参照。）とからなる。
【００２３】
固定部２０ａは、洗い場用架台８端部の側面に衝合するように、片持ち部２０ｂの先端が９０度折曲され、穿設されたねじ孔２０ｄにねじを通すことにより、支持体２０が洗い場用架台８に固定される。したがって、水受けトレイ１０は、土手部５と平行な方向の任意の位置に取り付けることができる。
【００２４】
片持ち部２０ｂは、鋼板が１８０度折曲され同形の二つの部材で一対の片持ち部２０ｂが形成される。この片持ち部２０ｂは、給水・給湯管との干渉を回避すべく、給水・給湯管の間に納まるように形成される。また、水受けトレイ１０は、片持ち部２０ｂに対してスライド可能に取付固定されているため、土手部５と直交する方向の任意の位置に取り付けることができる。
【００２５】
受け部２０ｃは、水受けトレイ１０底面に当接するように平鋼板からなり、給水・給湯管との干渉を避けるために、中央部が開口した枠状に形成される。これにより、給水・給湯管は、それぞれ片持ち部２０ｂの外側と受け部２０ｃの内側との間に納まるようになっている。
【００２６】
そして、水受けトレイ１０は、図３及び図４に示すように、この受け部２０ｃの上の、土手部５と直交する方向の任意の位置に取り付けることが可能となる。
なお、本実施形態では、支持体２０は、洗い場用架台８に固定されるが、防水パン３の土手部５に固定する構造としてもよい。
【００２７】
本実施形態に係るユニットバス１は以上のように構成されて機能することから、以下の利点を享受することができる。
【００２８】
まず、洗い場側防水パン２に水受けトレイ１０用の加工を行う必要が無く、複雑な止水構造を設けなくとも漏水の危険性が無い。特に、結合部材４Ｂに形成された貫通孔４Ｂｂの洗い場防水パン３側の端部は、洗い場防水パン３の土手部５の最高面よりも、洗い場床側に突出して配置されるので、漏水の危険性を更に低減することができる。
【００２９】
また、バスエプロン６や小型バスエプロン７を外した状態で給水・給湯管の取り付けなどのメンテナンスができるため、作業スペースを広く確保できるとともに、作業口を設けなくても済むため、構成もシンプルになって、意匠性が良い。
【００３０】
さらに、水受けトレイ１０は、洗い場防水パン３の土手部５と平行な方向及び直交する方向の両者において位置の調整をすることができるので、給水・給湯管１２，１３の立ち上げ位置に合わせて調整することができる。この際、排水管１５は可撓性を有するので、水受けトレイ１０の位置が異なっても、追従することができる。
【００３１】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００３２】
【図１】本発明の一実施形態に係る浴室ユニットの主要コンポーネントを分解して示す分解斜視図。
【図２】水受けトレイを洗い場側から見た斜視図。
【図３】水受けトレイを浴槽側から見た斜視図。
【図４】水受けトレイを移動させた状態を示す斜視図。
【図５】小型バスエプロンを取り付けた状態を示す図。
【符号の説明】
【００３３】
１  浴室ユニット
２  浴槽
２ａ  リム部
３  洗い場防水パン
４Ａ，４Ｂ 第１及び第２の結合部材
４Ｂａ  接続孔
４Ｂｂ  貫通孔
５  土手部
６  バスエプロン
７  小型バスエプロン
８  洗い場用架台
９  浴槽用架台
１０  水受けトレイ
１０ａ  貫通孔
１１  水密カバー
１２，１３  給水・給湯管
１４  水密キャップ
１５  排水管
１６  金具
１７  水密パッキン
１８  ナット
２０  支持体
２０ａ  固定部
２０ｂ  片持ち部
２０ｃ  受け部
２０ｄ  ねじ孔
ＯＰ１，２  開口
【図１】
2009189452.tif 000003
【図２】
2009189452.tif 000004
【図３】
2009189452.tif 000005
【図４】
2009189452.tif 000006
【図５】
2009189452.tif 000007